(57)【要約】【課題】吸気装置の吸気面における流体吸気の直進性を向上させる。【解決手段】吸気装置１０は、中空部１０１が形成された筒状の構造物であって、吸気口１０３を有する円形形状又は鋭角を有さない多角形形状の端面１０２が中空部１０１の第１の端部に形成され、中空部１０１の第１の端部と対向する第２の端部に排気口１０４が形成され、端面１０２において、吸気口１０３の開口面積は中空部１０１の軸方向垂直断面の断面積より狭く、端面１０２の形状に実質的に沿って吸気口１０３の外周に開口部１０５が形成された筐体１００と、ファン部２００と、吸気口１０３から排気口１０４の方向に吸気するようにファン部２００を制御する制御部３００と、を備える。【選択図】図１
2019132824.tif 000002
【特許請求の範囲】
【請求項１】
中空部が形成された筒状の構造物であって、吸気口を有する円形形状又は鋭角を有さない多角形形状の端面が前記中空部の第１の端部に形成され、前記中空部の前記第１の端部と対向する第２の端部に排気口が形成され、前記端面において、前記吸気口の開口面積は前記中空部の軸方向垂直断面の断面積より狭く、前記端面の形状に実質的に沿って前記吸気口の外周に第１の開口部が形成された筐体と、
ファン部と、
前記吸気口から前記排気口の方向に吸気するように前記ファン部を制御する制御部と、
を備える吸気装置。
【請求項２】
前記吸気口は、前記端面の実質的に中央部に形成された、請求項１に記載の吸気装置。
【請求項３】
前記吸気口は、鋭角を有さない形状である、請求項１に記載の吸気装置。
【請求項４】
前記第１の開口部は、前記中空部の軸から第１の半径上の円周に実質的に沿って形成された、請求項１に記載の吸気装置。
【請求項５】
前記第１の開口部は円形又は鋭角を有さない多角形形状の複数の孔であって、前記複数の孔のそれぞれの少なくとも開口の一部が前記円周上に形成された、請求項４に記載の吸気装置。
【請求項６】
前記複数の孔のそれぞれの中心点が前記円周上に実質的に均等に離隔されて形成された、請求項５に記載の吸気装置。
【請求項７】
前記第１の開口部は複数のスリットであって、前記複数のスリットのそれぞれの少なくとも開口の一部が前記円周上に形成された、請求項４に記載の吸気装置。
【請求項８】
前記複数のスリットは前記円周上に実質的に均等に離隔されて形成された、請求項７に記載の吸気装置。
【請求項９】
前記第１の開口部は一のＣ型形状のスリットである、請求項４に記載の吸気装置。
【請求項１０】
前記端面において、さらに、前記端面の形状に実質的に沿って前記第１の開口部の外周に第２の開口部が形成された、請求項１に記載の吸気装置。
【請求項１１】
前記端面において、前記吸気口を形成する第１の領域の厚みが、前記端面における前記第１の領域以外の第２の領域の厚みよりも大きい、請求項１に記載の吸気装置。
【請求項１２】
前記吸気口の形状は前記中空部の軸上に中心点を有する円形であって、前記第１の領域の軸方向断面の形状が鼓型である、請求項１１に記載の吸気装置。
【請求項１３】
前記吸気口の開口領域に設けられた所定のガスを検知するガスセンサを、さらに備える、請求項１に記載の吸気装置。
【請求項１４】
光源を有し、光を照射する照射部を、さらに備え、
前記ガスセンサの検知対象物に前記光が照射されたときに前記検知対象物に現れる光の像によって前記ガスセンサの前記検知対象物に対する有効射程距離が表現される、
請求項１３に記載の吸気装置。
【請求項１５】
報知部を、さらに備え、
前記ガスセンサは前記所定のガスを検知した結果を検知信号として前記制御部に出力し、
前記制御部は前記検知信号に基づいて前記報知部を用いて所定の方法で報知させる、
請求項１３に記載の吸気装置。
【請求項１６】
前記ガスセンサは、キャリブレーション結果を基準に前記検知信号を出力し、
前記キャリブレーション結果は、前記ファン部が前記排気口から前記吸気口の方向に排気するように前記制御部に制御されたときの検知結果である、
請求項１５に記載の吸気装置。
【請求項１７】
中空部が形成された筒状の構造物であって、吸気口を有する円形形状又は鋭角を有さない多角形形状の端面が前記中空部の第１の端部に形成され、前記中空部の前記第１の端部と対向する第２の端部に底蓋が形成され、前記中空部の軸方向側面に排気口が形成され、前記端面において、前記吸気口の開口面積は前記中空部の軸方向垂直断面の断面積より狭く、前記端面の形状に実質的に沿って前記吸気口の外周に開口部が形成された筐体と、
ファン部と、
前記吸気口から前記排気口の方向に吸気するように前記ファン部を制御する制御部と、
を備える吸気装置。
【発明の詳細な説明】
【技術分野】
【０００１】
本発明は、吸気装置に関する。
【背景技術】
【０００２】
アルコール等の気体を吸気する装置が開発されている。例えば、使用者が吹き付けた呼気を導入するための呼気入口が設けられたケース体と、ケース体における呼気入口の直下流側に該呼気入口と対向して配置され、呼気入口を通って流入した使用者の呼気を更に下流側に送るファンと、ケース体におけるファンよりも下流側に配置され、ファンによって送られた使用者の呼気中の要素を検出する複数のセンサとを備える装置がある（特許文献１参照）。
【先行技術文献】
【特許文献】
【０００３】
【特許文献１】特開２０１１−１５３９５６号公報
【発明の概要】
【発明が解決しようとする課題】
【０００４】
しかしながら、上述した特許文献１の技術（以下、従来技術）は、吸気装置に対してアルコール等の気体が吹き込まれることを前提条件とする。従来の技術の前提条件を外した場合、吸気装置によって吸気される流体の流れの直進性が問題である。
【０００５】
本発明の目的は、吸気装置によって吸気される流体の流れの直進性の向上に寄与する吸気装置を提供する。
【課題を解決するための手段】
【０００６】
本発明の一態様に係る吸気装置は、中空部が形成された筒状の構造物であって、吸気口を有する円形形状又は鋭角を有さない多角形形状の端面が前記中空部の第１の端部に形成され、前記中空部の前記第１の端部と対向する第２の端部に排気口が形成され、前記端面において、前記吸気口の開口面積は前記中空部の軸方向垂直断面の断面積より狭く、前記端面の形状に実質的に沿って前記吸気口の外周に第１の開口部が形成された筐体と、ファン部と、前記吸気口から前記排気口の方向に吸気するように前記ファン部を制御する制御部と、を備える構成を採る。
【０００７】
本発明の一態様に係る吸気装置は、中空部が形成された筒状の構造物であって、吸気口を有する円形形状又は鋭角を有さない多角形形状の端面が前記中空部の第１の端部に形成され、前記中空部の前記第１の端部と対向する第２の端部に底蓋が形成され、前記中空部の軸方向側面に排気口が形成され、前記端面において、前記吸気口の開口面積は前記中空部の軸方向垂直断面の断面積より狭く、前記端面の形状に実質的に沿って前記吸気口の外周に開口部が形成された筐体と、ファン部と、前記吸気口から前記排気口の方向に吸気するように前記ファン部を制御する制御部と、を備える構成を採る。
【発明の効果】
【０００８】
本発明によれば、吸気面によって吸気される流体の流れの直進性を向上させることができる。
【図面の簡単な説明】
【０００９】
【図１】本発明の実施の形態１に係る吸気装置の断面図の一例を示す図
【図２】本発明の実施の形態１に係る吸気装置の簡略図、平面図、底面図、および正面図の一例を示す図
【図３Ａ】開口部の孔の一例を示す図
【図３Ｂ】開口部の孔の一例を示す図
【図３Ｃ】開口部の孔の一例を示す図
【図４Ａ】開口部のスリットの一例を示す図
【図４Ｂ】開口部のスリットの一例を示す図
【図５】開口部のスリットの一例を示す図
【図６Ａ】開口部のスリットの一例を示す図
【図６Ｂ】開口部のスリットの一例を示す図
【図７Ａ】吸気口のみによって流体が吸気された場合における流体の流れの一例を示す図
【図７Ｂ】吸気口および開口部によって流体が吸気された場合における流体の流れの一例を示す図
【図８】開口部によって吸気される流体の流れの一例を示す図
【図９】開口部によって吸気される流体の流れの一例を示す図
【図１０】開口部によって吸気される流体の流れの一例を示す図
【図１１Ａ】開口部の孔が不均一に配置された一例を示す図
【図１１Ｂ】開口部の孔が不均一に配置された場合における開口部によって吸気される流体の流れの一例を示す図
【図１２】開口部の別の一例を示す図
【図１３Ａ】本発明の変形例１を説明する図
【図１３Ｂ】本発明の変形例１を説明する図
【図１４】本発明の変形例２を説明する図
【図１５】本発明の変形例３を説明する図
【図１６】本発明の変形例３における吸気装置の動作の流れの一例を示すフロー図
【図１７】制御部の機能をプログラムにより実現するコンピュータのハードウェア構成の一例を示す図
【図１８】本開示に係る検知装置の一例を示す図
【発明を実施するための形態】
【００１０】
（本発明に係る一態様を発明するに至った経緯）
従来技術は、吸気装置に対してアルコール等の気体が吹き込まれることを前提条件とする。人の呼気に含まれるアルコール濃度が検知対象である場合、従来技術のように、吸気装置に対して気体が吹き込まれることを前提条件としても問題は少ない。しかし、食品、液体などに含有されるアルコール成分が検知対象である場合、従来技術の前提条件は問題である。係る場合、従来技術の構成に、さらにファンを設けることが考えられる。しかし、流体を吸気するファンを設ける場合、流体は、吸気装置によって全方位的に吸気される。本発明の発明者は、吸気される流体の流れの直進性を向上させる必要性を想起して、本発明に係る一態様を発明するに至った。また、掃除機等の用途向けとして、吸気装置が吸気面に対向する物を吸引する場合においても、吸気面によって吸気される流体の流れの直進性を向上させることが有用である。
【００１１】
以下、本発明の実施の形態について、図面を参照して詳細に説明する。実施の形態において、同一機能を有する構成には、同一符号を付し、重複する説明は省略する。
【００１２】
（実施の形態１）
図１および図２を用いて、本実施の形態に係る吸気装置１０の構成について説明する。
【００１３】
図１は、本発明の実施の形態１に係る吸気装置１０の断面図の一例を示す。図２は、本実施の形態に係る吸気装置１０の簡略図、平面図、底面図、および正面図の一例を示す。図２（ａ）は吸気装置１０の簡略図を示す。図２（ｂ）は吸気装置１０の平面図を示す。図２（ｃ）は吸気装置１０の底面図を示す。図２（ｄ）は吸気装置１０の正面図を示す。
【００１４】
図１が示す断面図は、図２（ｂ）における一点鎖線Ｌにおける軸方向断面図である。図２において、制御部３００の図示は省略される。
【００１５】
図１において、吸気装置１０は、筐体１００、ファン部２００、および制御部３００を有する。筐体１００は、例えば、中空部１０１が内部に形成された筒状の構造物である。中空部１０１は筒形状である。筒形状の軸方向垂直断面は、円形であってもよく、多角形であってもよい。筒形状の軸方向垂直断面が円形の場合、中空部１０１は円筒形状である。円形は、真円であってもよく、楕円であってもよい。構造物の材質は、例えば、合成樹脂または金属である。本発明において構造物の材質は限定されない。
【００１６】
中空部１０１が円筒形状である場合、中空部１０１において、吸気口１０３および開口部１０５から吸気された流体の乱流が抑制される。流体は壁面に沿って流れ、円形等の滑らかな壁面においては、乱流の発生が抑制されるからである。そのため、中空部１０１の軸方向垂直断面の形状は、円形が望ましい。
【００１７】
中空部１０１の軸方向垂直断面の形状は、多角形であってもよい。係る場合、多角形の内角は、鈍角であることが望ましい。なぜならば、内角が広角であるほど中空部１０１の壁面が滑らかになり、中空部１０１における乱流の発生が抑制されるからである。
【００１８】
筐体１００は、後述する吸気口１０３および排気口１０４を有する筒状の構造物である。例えば中空部１０１、端面１０２、吸気口１０３、排気口１０４、開口部１０５、および側壁１０６等の後述する特徴を除き、筐体１００の外観の形状は、限定されず、任意に設計される。
【００１９】
図１において、第１の端部Ｅ１および第２の端部Ｅ２が破線で示される。第１の端部Ｅ１および第２の端部Ｅ２は、中空部１０１の両端の端部である。第１の端部Ｅ１と、第２の端部Ｅ２とは、例えば、互いに対向する。
【００２０】
図１および図２において、端面１０２は、例えば、第１の端部Ｅ１に形成される。端面１０２は、例えば、円形形状または鋭角を有さない多角形形状である。円形は、真円または楕円である。端面１０２の形状が、例えば、鋭角を有さない多角形形状であるのは、後述のとおり、吸気口１０３および開口部１０５によって吸気される流体の乱流の発生を抑止するためである。また、端面１０２は、所定の厚さを有する構造物である。図１および図２において、端面１０２は側壁１０６の外側に形成されているが、これに限定されない。端面１０２は、例えば、端面１０２の表面が第１の端部Ｅ１に一致するように、側壁１０６の内側に形成されてもよい。
【００２１】
図１において、説明の便宜のため、端面１０２および側壁１０６は別々の構成として説明されるが、一例であって、これに限定されない。端面１０２は、側壁１０６と一体形成されてもよい。
【００２２】
図１および図２（ｂ）において、端面１０２は、吸気口１０３および開口部１０５を有する。吸気口１０３は、筐体１００の外部から内部へ気体等の流体を取り入れる孔である。吸気口１０３は、端面１０２の中央部または略中央部に形成されてもよい。すなわち、吸気口１０３は、実質的に、端面１０２の中央部に形成されてもよい。吸気口１０３の開口面積は、中空部１０１の軸方向垂直断面の断面積より狭い。吸気口１０３の外周に、開口部１０５が形成されるためである。また、端面１０２において、吸気口１０３および開口部１０５が形成される領域より、中空部１０１の軸方向垂直断面の断面積の方が大きい。すなわち、端面１０２において、吸気口１０３の外周に形成される開口部１０５の外側に、中空部１０１の軸方向垂直断面が設けられる。
【００２３】
吸気口１０３の形状は、例えば、円形である。図１および図２（ｂ）において、吸気口１０３の円形の中心点は、例えば、中空部１０１の軸上に存する。後述するように、吸気口１０３の形状が中空部１０１の軸上の点を中心点として形成された円形である場合、ファン部２００が駆動されることによって吸気口１０３から吸気された流体が、中空部１０１において乱流を発生させることが抑制される。流体は壁面に沿って流れ、乱流は、滑らかではない非円形の壁面で発生しうるからである。中空部１０１において乱流の発生が抑制されることで、吸気口１０３から吸気される流体の流れの直進性が向上される。
【００２４】
吸気口１０３の形状が、中空部１０１の軸上の点を中心とした円形形状であることは一例であって、吸気口１０３の形状は多角形でもよい。係る場合、多角形の内角が鈍角であるとき、中空部１０１において乱流の発生が抑制される。また、吸気口１０３の形状が等辺多角形である場合、中空部１０１において乱流の発生が抑制される。係る場合、等辺多角形の辺の数は、例えば、５以上であることが望ましい。多角形の内角が大きいほど形状が滑らかになり、乱流が発生しにくいからである。
【００２５】
なお、吸気口１０３の円形または多角形の中心点が中空部１０１の軸上に存する必要はなく、例えば、吸気口１０３は、端面１０２の中央部または略中央部に形成されてもよい。また、例えば、中空部１０１の軸が吸気口１０３の形状の内側に含まれればよい。
【００２６】
開口部１０５は、端面１０２において吸気口１０３の周囲に吸気口１０３と独立して形成される。端面１０２において、開口部１０５と、吸気口１０３とは一体形成されていない。開口部１０５は、例えば、端面１０２の形状に実質的に沿って、吸気口１０３の外周に形成される。開口部１０５は、例えば、中空部１０１の軸から第１の半径上の円周に実質的に沿って形成される。すなわち、開口部１０５は、例えば、中空部１０１の軸から実質的に同一円周上に形成される。第１の半径は、吸気口１０３の外周に設定された所定の値であればよく、その半径の値は限定的ではない。なお、実質的に沿うという文言は、後述する円錐台形状のような流体の流れを生じさせる効果を発揮する程度に端面１０２の形状に沿うことを意味すると定義される。
【００２７】
ファン部２００が駆動されることによって、筐体１００における端面１０２の外側の流体が、吸気口１０３および開口部１０５から中空部１０１へ吸気される。開口部１０５が吸気口１０３の周囲に形成される場合、開口部１０５による流体の吸気によって、端面１０２の外側に円錐台の形状のような流体の流れが生じる。同一円周上に沿って形成された開口部１０５の孔によって端面１０２の外側の流体が吸気されるからである。端面１０２の外側における円錐台形状のような流体の流れについては、後述する。
【００２８】
吸気口１０３は開口部１０５とは独立して形成された開口である。そのため、吸気口１０３によって吸気される流体の流れは、開口部１０５によって吸気される流体の流れに対して独立である。吸気口１０３によって吸気される流体は、円錐台形状の流体の流れの内側において、独立して流れる。流体の特性として、吸気口１０３によって吸気される流体は、円錐台形状のような流体の流れに沿って流れる。
【００２９】
その結果、吸気口１０３によって吸気される流体の流れは指向性を有する。すなわち、吸気口１０３によって吸気される流体は、端面１０２の外側から吸気口１０３を通って中空部１０１へ直進的に流れる。これによって、吸気装置１０によって吸気される流体の流れの直進性が向上される。
【００３０】
円錐台形状のような流体の流れを生み出す開口部１０５は、例えば、中空部１０１の軸から実質的に同一半径上に形成されることが望ましい。なぜならば、開口部１０５の歪みは円錐台形状の歪みの一因であり、円錐台形状の歪みは吸気口１０３によって吸気される流体の流れの直進性を損なうからである。
【００３１】
後述するように、開口部１０５による流体の吸気によって、端面１０２の外側に円錐台の形状のような流体の流れが生じる。この円錐台形状の流体の流れが生じることによって、吸気口１０３から吸気される流体の流れの直進性が向上される。円錐台形状の歪みは、吸気口１０３から吸気される流体の流れの直進性を損なう。そのため、円錐台形状の歪みは抑制されることが望ましい。
【００３２】
円錐台形状の歪みの原因は、例えば、中空部１０１における乱流の発生、および、開口部１０５のそれぞれの要素から吸気される流体の流れの歪みである。中空部１０１において乱流が発生した場合、開口部１０５のそれぞれの要素から吸気される流体の流れの均一性が損なわれる。その結果、開口部１０５による流体の吸気によって生じる円錐台形状が歪み、吸気口１０３から吸気される流体の流れの直進性が損なわれる。
【００３３】
また、円錐台形状の歪みの原因は、例えば、端面１０２の形状である。端面１０２に含まれる吸気口１０３および開口部１０５によって端面１０２の周囲の流体が吸気される。端面１０２の形状が例えば鋭角を有する多角形等である場合、その鋭角を有する構造の部分において、その流体の乱流が発生しうる。したがって、端面１０２の形状は、円形が望ましい。円形は、真円であってもよく、楕円であってもよい。なお、端面１０２の形状は、内角が鈍角である多角形であってもよい。内角が広角であるほど、端面１０２の形状が滑らかになり、端面１０２の形状を原因とする乱流の発生が抑制されるからである。
【００３４】
上述のとおり、中空部１０１において、中空部１０１の壁面、端面１０２の形状、吸気口１０３の形状、および開口部１０５の形状が、乱流の発生に影響する。中空部１０１の軸方向垂直断面の形状、端面１０２の形状、吸気口１０３の形状、および開口部１０５の形状が鋭角を有する多角形等である場合、中空部１０１等において乱流が発生しうる。そのため、中空部１０１の軸方向垂直断面の形状、端面１０２の形状、吸気口１０３の形状、および開口部１０５の形状は、滑らかな形状が望ましい。
【００３５】
滑らかな形状とは、例えば、円形等のように曲線で形成された形状を意味する。また、滑らかな形状とは、例えば、鈍角を有する多角形の形状を意味する。すなわち、滑らかな形状とは、例えば、鋭角を有さない形状を意味する。そのため、中空部１０１の軸方向垂直断面の形状、端面１０２の形状、吸気口１０３の形状、および開口部１０５の形状が多角形である場合、多角形の内角は鈍角が望ましい。
【００３６】
また、流体の流れの円錐台形状の歪みは、端面１０２における開口部１０５の歪みによって生じる。開口部１０５の歪みには、開口部１０５の要素の形状の歪み、および、要素同士の相当程度に不均一な間隔のうち少なくとも１つ（at least one of）が含まれる。すなわち、開口部１０５の歪みには、開口部０１５の要素の形状の歪み、要素同士の相当程度に不均一な間隔のうち１つまたは２つ以上（one or two or more of）の組み合わせが含まれる。開口部１０５の要素は、円形等の孔、または、スリット等の孔を意味する。
【００３７】
実質的に同一半径とは、例えば、真に同一の半径に製造誤差によって生じるズレ量が加わった半径の意味を含んでもよい。また、実質的に同一半径とは、例えば、円錐台形状のような流体の流れが生じる効果が発揮される程度に、同程度の半径上に開口部１０５が形成される意味を含んでもよい。本開示において、以下、同様である。
【００３８】
開口部１０５は、図１および図２（ｂ）において、円形の複数の孔である。具体的には、図１および図２（ｂ）において、開口部１０５は、８個の円形形状の孔が円周方向において実質的に均等に離隔されて形成されているが、一例であって、これに限定されない。開口部１０５の円形形状の孔の数は複数であればよい。円形形状の孔の数が１個の場合、円錐台形状のような流体の流れが生じないためである。さらには、開口部１０５の円形形状の孔の数は、例えば、３個以上であることが特に望ましい。円形形状の孔の数が２個以下の場合、端面１０２の外側において、３次元方向に均一な円錐台形状のような流体の流れが生じないためである。
【００３９】
なお、実質的に均等な離隔とは、例えば、真に均等な離隔に製造誤差によって生じるズレ量が加わった間隔の意味を含んでもよい。また、実質的に均等に離隔とは、例えば、円錐台形状のような流体の流れが生じる効果が発揮される程度に、同程度の幅で離隔される意味を含んでもよい。本開示において、以下、同様である。
【００４０】
また、開口部１０５の孔のそれぞれが円形形状であると説明したが、一例であって、これに限定されない。開口部１０５の孔のそれぞれは、例えば、鋭角を有さない多角形であってもよい。開口部１０５の孔の多角形の内角が鈍角である場合、中空部１０１において、乱流の発生が抑制される。また、開口部１０５の孔の形状が等辺多角形である場合、中空部１０１において乱流の発生が抑制される。係る場合、等辺多角形の辺の数は、例えば、６以上であることが望ましい。多角形の内角が大きいほど形状がなめらかになり、乱流が発生しにくいからである。すなわち、開口部１０５は、例えば、円形又は鋭角を有さない多角形形状の複数の孔である。
【００４１】
開口部１０５の孔のそれぞれは、例えば、端面１０２の外郭形状に沿って設けられることが望ましい。例えば、端面１０２の形状が円形である場合、開口部１０５の複数の孔は、端面１０２の外郭に沿った円周方向に実質的に沿って配置されることが望ましい。例えば、端面１０２の形状が多角形である場合、開口部１０５の複数の孔は、端面１０２の外郭形状に沿って中空部１０１の軸から実質的に同一半径上に配置されることが望ましい。
【００４２】
開口部１０５の複数の孔が端面１０２の形状に沿って設けられることにより、開口部１０５における陰圧が端面１０２の外郭形状に沿って実質的に均一または均一に近い分布になるからである。その結果、円錐台形状の歪みが抑制される。
【００４３】
すなわち、端面１０２の形状は、中空部１０１の軸から実質的に同一半径上に設けられた開口部１０５の複数の孔に沿った形状であることが望ましい。また、端面１０２の形状は、中空部１０１の軸から実質的に同一半径上に設けられた後述のＣ型スリットの孔に沿った形状であることが望ましい。
【００４４】
以下、開口部１０５の形状のバリエーションについて説明する。
【００４５】
（開口部１０５が複数の円形形状等の孔である場合）
開口部１０５は、例えば、端面１０２に形成された複数の孔であって、複数の孔のそれぞれの少なくとも開口の一部が同一半径上に形成されている。ここで、複数の孔のそれぞれは、円形形状の孔、楕円形状の孔、または、多角形の孔である。図３は、開口部１０５の孔の形状の例を示す。以下、開口部１０５が複数の孔である場合の例について、図３Ａないし図３Ｃを用いて説明する。
【００４６】
図３Ａは、開口部１０５の孔の形状の一例を示す。図３Ａにおいて、破線Ｌ２は中空部１０１の軸上の点を中心点とする同一半径上の円周を示す。図３Ａにおいて、端面１０２は、吸気口１０３、および、開口部１０５の要素を有する。図３Ａにおいて、開口部１０５の要素は、円形形状の孔１０５ａ、１０５ｂ、１０５ｃ、１０５ｄを含む。例えば、孔１０５ａ〜ｄはそれぞれ、破線Ｌ２上に中心点を有し、破線Ｌ２上において均等に離隔されて形成される。
【００４７】
係る場合、同一半径上の円周において均等に離隔されて形成された開口部１０５の要素によって、円錐台形状のような流体の流れが生じる。その結果、円錐台形状の内側において、吸気口１０３から吸気される流体が中空部１０１に向かって直進的に流れる。図３Ａの場合、開口部１０５の円周方向における配置、形状、または間隔等の歪みが抑えられるため、円錐台形状のような流体の流れの歪みが抑制される。その結果、後述するように、吸気口１０３によって吸気される流体の流れの直進性が特に向上される。
【００４８】
図３Ｂは、開口部１０５の円形形状の孔の形状の別の一例を示す。図３Ｂにおいて、端面１０２は、吸気口１０３、および、円形形状の孔１０５ａ、１０５ｂ、１０５ｃ、１０５ｅを有する。例えば、円形形状の孔１０５ａ、１０５ｂ、１０５ｃおよび１０５ｅはすべて破線Ｌ２の上に設けられているが、孔１０５ａ〜ｃは破線Ｌ２上に中心点を有する一方、孔１０５ｅは破線Ｌ２上に中心点を有しない。
【００４９】
係る場合、孔１０５ｅの開口の少なくとも一部に、破線Ｌ２が含まれる。孔１０５ａ、孔１０５ｂ、孔１０５ｃ、および、孔１０５ｅの開口の少なくとも一部はそれぞれ、破線Ｌ２上に形成される。そのため、同一半径上に形成された開口によって円錐台形状のような流体の流れが生じる。その結果、円錐台形状の内側において、吸気口１０３から吸気される流体が中空部１０１に向かって直進的に流れる。
【００５０】
図３Ｃは、開口部１０５の円形形状の孔の形状の別の一例を示す。図３Ｃにおいて、端面１０２は、吸気口１０３、および、円形形状の孔１０５ａ、１０５ｂ、１０５ｃ、１０５ｆを有する。例えば、孔１０５ａ〜ｃは互いに破線Ｌ２上において均等に離隔されて形成されている一方、孔１０５ｆは破線Ｌ２上において均等に離隔されていない。
【００５１】
係る場合、孔１０５ｆは孔１０５ａ、孔１０５ｂ、および孔１０５ｃと同様に、破線Ｌ２上に中心点を有している。そのため、後述するように、同一半径上に形成された開口によって円錐台形状のような流体の流れが生じる。その結果、円錐台形状の内側において、吸気口１０３から吸気される流体が中空部１０１に向かって直進的に流れる。
【００５２】
なお、開口部１０５の孔の形状、数、および配置について図３Ａないし図３Ｃを用いて説明したが、一例であって、これに限定されない。円形形状の孔の数は偶数である必要はなく、奇数であってもよい。孔の形状は、楕円形状であっても、多角形であってもよい。なお、図３Ａないし図３Ｃにおける開口部１０５の孔は、いずれも、中空部１０１の軸から所定の半径上の円周に実質的に沿って形成されていると定義される。
【００５３】
以上、開口部１０５が端面１０２に形成された複数の円形形状等の孔である場合の一例について、図３Ａないし図３Ｃを用いて、説明した。
【００５４】
（開口部１０５が複数のスリット形状の孔である場合）
開口部１０５は、例えば、第１の同一半径上に形成された複数のスリットであって、複数のスリットは第１の同一半径上に実質的に均等に離隔されて形成されてもよい。図４は開口部１０５のスリット形状の例を示す。以下、開口部１０５が端面１０２に形成された複数のスリットである場合の例について、図４Ａおよび図４Ｂを用いて、説明する。
【００５５】
図４Ａは、開口部１０５のスリットの形状の一例を示す。図４Ａにおいて、破線Ｌ３は、中空部１０１の軸上の点を中心点とする同一半径上の円周を示す。図４Ａにおいて、端面１０２は、吸気口１０３、および、開口部１０５の要素を有する。図４Ａにおいて、開口部１０５の要素は、スリット形状の孔１０５ｊ、１０５ｋ、１０５ｍ、１０５ｎを含む。例えば、孔１０５ｊ〜ｎはそれぞれ、破線Ｌ３上にスリットの中心軸が沿って形成され、破線Ｌ３上において実質的に均等に離隔されて形成される。
【００５６】
係る場合、同一半径上の円周において均等に離隔されて形成された開口部１０５によって、円錐台形状のような流体の流れが生じる。その結果、円錐台形状の流体の流れの内側において、吸気口１０３から吸気される流体が中空部１０１に向かって直進的に流れる。図４Ａの場合、開口部１０５の円周方向における配置、形状、または間隔等の歪みが抑えられるため、円錐台形状のような流体の流れの歪みを抑制できる。その結果、後述するように、吸気口１０３における流体吸気の直進性が特に向上される。
【００５７】
図４Ｂは、開口部１０５のスリット形状の別の一例を示す。図４Ｂにおいて、端面１０２は、吸気口１０３、および、スリット形状の孔１０５ｊ、１０５ｋ、１０５ｍ、１０５ｐを有する。例えば、孔１０５ｊ、孔１０５ｋ、孔１０５ｍは破線Ｌ３上にスリットの中心軸が沿って形成される一方、孔１０５ｐは破線Ｌ３上に沿って開口の少なくとも一部が形成されているが、スリットの中心軸が破線Ｌ３上にない。
【００５８】
係る場合、孔１０５ｐの開口の少なくとも一部に、破線Ｌ３が含まれる。孔１０５ｊ、孔１０５ｋ、孔１０５ｍ、および、孔１０５ｐの開口、すなわち要素の少なくとも一部はそれぞれ、破線Ｌ３上に形成される。そのため、同一半径上に形成された開口によって円錐台形状のような流体の流れが生じる。その結果、円錐台形状の内側において、吸気口１０３から吸気される流体が中空部１０１に向かって直進的に流れる。
【００５９】
なお、複数のスリットが同一半径上に実質的に均等に離隔されるということは、例えば、真に均等な間隔に製造誤差によって生じるズレ量が加わった間隔の意味を含んでもよい。また、実質的に均等に離隔とは、例えば、開口部１０５によって円錐台形状のような流体の流れが生じる効果が発揮される程度に、複数のスリットが同一半径上に同程度の間隔で離隔される意味を含んでもよい。本発明において、以下、同様である。
【００６０】
なお、開口部１０５のスリット形状の孔について図４Ａおよび図４Ｂを用いて説明したが、一例であって、これに限定されない。スリット形状の孔の数は偶数であっても、奇数であってもよい。スリットの形状は、開口部１０５による乱流抑制のため、円弧形状が望ましい。スリットの形状は、例えば、図６Ａに示す多角形の形状であってもよい。図６Ａに示す多角形は外縁および内縁が１０辺の多角形であるが、一例であって、辺の数はこれに限定されない。
【００６１】
以上、開口部１０５が端面１０２に形成された複数のスリット形状の孔である場合の例について、図４Ａおよび図４Ｂを用いて、説明した。
【００６２】
なお、端面１０２に形成された複数のスリット形状の孔は、例えば、端面１０２の外郭形状に沿って設けられることが望ましい。例えば、端面１０２の形状が円形である場合、複数のスリット形状の孔は、端面１０２の外郭に沿った円周方向に実質的に沿って配置されることが望ましい。例えば、端面１０２の形状が多角形である場合、複数のスリット形状の孔は、端面１０２の外郭形状に沿って中空部１０１の軸から実質的に同一半径上に配置されることが望ましい。
【００６３】
開口部１０５の複数のスリット形状の孔が端面１０２の形状に沿って設けられることにより、開口部１０５における陰圧が端面１０２の外郭形状に沿って実質的に均一または均一に近い分布になるからである。その結果、円錐台形状の歪みが抑制される。
【００６４】
すなわち、端面１０２の形状は、中空部１０１から実質的に同一半径上に設けられた開口部１０５の複数のスリット形状の孔に沿った形状であることが望ましい。
【００６５】
（開口部１０５が一のスリット形状の孔である場合）
開口部１０５は、例えば、第１の同一半径上に形成された一のスリットであってもよい。以下、開口部１０５が端面１０２に形成された一のスリット形状の孔である場合の例について、図５を用いて、説明する。
【００６６】
図５は、開口部１０５のスリットの形状の一例を示す。図５において、破線Ｌ４は、中空部１０３の軸上の点を中心点とする同一半径上の円周を示す。図５において、端面１０２は、吸気口１０３、および、スリット形状の孔１０５ｑを有する。スリット形状の孔１０５ｑは、例えば、Ｃ型形状のスリット、または、Ｃ型形状の孔と呼称できる。例えば、スリット形状の孔１０５ｑは、破線Ｌ４上にスリットの中心軸が沿って形成される。
【００６７】
係る場合、同一半径上の円周に沿って形成された開口部１０５によって円錐台形状のような流体の流れが生じる。その結果、円錐台形状の内側において、吸気口１０３から吸気される流体が中空部１０１に向かって直進的に流れる。
【００６８】
開口部１０５の孔について図５を用いて説明したが、一例であって、これに限定されない。スリットの形状は、中空部１０１における乱流抑制のために円弧形状が望ましい。スリットの形状は、図６Ｂに示す多角形の形状であってもよい。図６Ｂに示す多角形は外縁および内縁が３６辺の多角形であるが、一例であって、辺の数はこれに限定されない。
【００６９】
なお、端面１０２に形成されたＣ型形状のスリットは、例えば、端面１０２の外郭形状に沿って設けられることが望ましい。例えば、端面１０２の形状が円形である場合、Ｃ型形状のスリットの孔は、端面１０２の外郭に沿った円周方向に実質的に沿って配置されることが望ましい。例えば、端面１０２の形状が多角形である場合、Ｃ型形状のスリットは、端面１０２の外郭形状に沿って配置されることが望ましい。
【００７０】
開口部１０５のＣ型形状のスリットが端面１０２の形状に沿って設けられることにより、開口部１０５における陰圧が端面１０２の外郭形状に沿って実質的に均一または均一に近い分布になるからである。その結果、円錐台形状の歪みが抑制される。
【００７１】
すなわち、端面１０２の形状は、中空部１０１の軸から所定の半径上の円周に沿って設けられた一のＣ型形状のスリットに沿った形状であることが望ましい。
【００７２】
以上、開口部１０５の形状のバリエーションについて説明した。以下、図１および図２の説明に戻る。
【００７３】
図１および図２において、筐体１００は排気口１０４を有する。排気口１０４は、例えば、中空部１０１の第２の端部Ｅ２に形成される。排気口１０４の面積は中空部１０１の軸方向垂直断面の断面積より小さい必要はない。排気口１０４の面積は、筐体１００の形状に関する仕様に基づいて設定され、本発明において限定されない。
【００７４】
なお、図１および図２において、排気口１０４は中空部の第２の端部Ｅ２の開口として図示されるが、一例であって、これに限定されない。例えば、端面１０２とは別の端面が端部Ｅ２に形成され、その別の端面に排気口１０４が形成されてもよい。
【００７５】
筐体１００は側壁１０６を有する。側壁１０６は内壁および外壁を有する。側壁１０６の内壁によって中空部１０１が形成される。側壁１０６の外壁の形状は任意に設計される。
【００７６】
ファン部２００は、第１の端部および第２の端部のうち第２の端部の側に設けられる。ファン部は、例えば、第２の端部に接して設けられてもよい。ファン部２００は、例えば、羽根部、駆動部を有する。ファン部２００は、羽根部の回転運動等によって流体を吸気する機能を少なくとも有する構造物である。駆動部は、羽根部の回転運動を駆動する手段であって、例えば、モータである。羽根部は、例えば、ファンまたはダイヤフラムである。ファンは、例えば、シロッコファンであってもよく、本発明においてその種類は限定されない。
【００７７】
図１および図２において、ファン部２００は側壁１０６によって支持されることで排気口１０４と接して配置されるが、一例であって、これに限定されない。例えば、側壁１０６の端部が中空部の第２の端部Ｅ２で終端し、ファン部２００は排気口１０４と接合されてもよい。接合の手段は本発明において限定されない。接合技術は公知技術であるため、その詳細な説明は省略する。
【００７８】
制御部３００は、端面１０２の外側の流体を吸気口１０３から排気口１０４の方向に吸気するようにファン部２００を制御する。制御部３００によるファン部２００の制御技術は公知技術であるため、その詳細な説明は省略する。
【００７９】
制御部３００は、例えば、ＦＰＧＡ（Field Programmable Gate Array）等の集積回路によって構成されてもよい。また、制御部３００は、例えば、ＣＰＵ（Central Processing Unit）またはＭＰＵ（Micro Processing Unit）等により実現されてもよい。
【００８０】
制御部３００は、電気信号によって制御する回路として説明したが、一例であって、これに限定されない。例えば、制御部３００は、弾性体の有する弾性エネルギーを用いてファンを駆動するデバイスであってもよい。弾性体は、例えば、バネ、ゼンマイ等である。制御部は、例えば、機械的な駆動装置であってもよい。
【００８１】
制御部３００は、例えば、中空部１０１の外部に設けられる。係る場合、中空部１０１の内部において乱流の発生原因になる物を置くことを避けることができる。その結果、吸気口１０３から排気口１０４の方向に吸気される流体の流れの直進性が向上される。
【００８２】
また、制御部３００は、例えば、中空部１０１の内部に設けられた回路基板に実装されたプロセッサであって、回路基板は紡錘形状の樹脂に包含されてもよい。係る場合、中空部１０１の内部に回路基板が設けられるが、紡錘形状の樹脂に覆われている。そのため、中空部１０１において、吸気口１０３から吸気される流体の乱流の発生が抑制される。その結果、吸気口１０３から排気口１０４の方向に吸気される流体の流れの直進性が向上される。
【００８３】
以上、吸気装置１０の構成について説明した。
【００８４】
次に、図７を用いて、吸気装置１０における吸気構造の作用および効果について詳細に説明する。図７は、吸気される流体の流れを示す図である。図７Ａは、吸気口１０３のみによって流体が吸気された場合における流体の流れの一例を示す。図７Ｂは、吸気口１０３および開口部１０５によって流体が吸気された場合における流体の流れの一例を示す。
【００８５】
以下、図７Ａおよび図７Ｂを用いて、開口部１０５を設けることで、吸気口１０３から吸気される流体の流れの直進性が向上されることについて説明する。以下の説明において、流体の流れを示す図は、３次元流体解析ツールを用いたシミュレーション結果を２次元平面で観察した図である。
【００８６】
図７Ａにおいて、装置７００は、吸気装置１０から開口部１０５を除いた構成である。装置７００の端面には、開口部１０５に相当する開口は形成されず、吸気口１０３のみが形成される。図７Ａにおいて、装置７００の吸気口１０３に対向して被測定物７０１が設置される。被測定物７０１は、以下、検知対象物とも呼称される。図７Ａにおいて、吸気装置７００の端面と吸気口１０３との面積比は約４．６対１である。図７Ａにおいて、吸気口１０３から被測定物７０１までの距離は吸気口１０３の直径の約６倍である。
【００８７】
図７Ａにおいて、吸気口１０３のみによって流体が吸気された場合、装置７００の端面の外側の流体は、吸気口１０３によって全方位的に吸気される。その結果、吸気口１０３は、領域７０２の流体のみならず、領域７０３の流体および領域７０４の流体を併せて吸気する。図７Ａにおいて、領域７０５の流体の流れは吸気口１０３に向かわず、吸気口１０３によって吸気される流体の流れの直進性が損なわれる。
【００８８】
なぜならば、吸気口１０３が領域７０２の流体、領域７０３の流体、および領域７０４の流体を一つの開口で吸気することによって、領域７０５に乱流が発生し、領域７０２と被測定物７０１との間の領域７０５における流体が、乱流の影響によって吸気口１０３の方向へ流れないからである。その結果、図７Ａにおいて、吸気口１０３が直進的に吸気できる流体の領域は、吸気口１０３の直径の２倍程度の距離である。なお、図７Ａにおける寸法比は一例であって、これに限定されない。
【００８９】
一方、図７Ｂにおける吸気装置１０は、端面１０２に吸気口１０３および開口部１０５を有する。開口部１０５は、例えば、８個の円形の孔である。図７Ｂにおいて、吸気装置１０の吸気口１０３に対向する被測定物７０１が設置される。図７Ｂにおいて、端面１０２と吸気口１０３との面積比は約４．６対１であり、吸気口１０３と開口部１０５の面積比は約２．３対１であり、吸気口１０３から被測定物７０１までの距離は吸気口１０３の直径の約６倍である。なお、図７Ｂにおける寸法比は一例であって、これに限定されない。
【００９０】
図７Ｂにおいて、吸気口１０３および開口部１０５から流体が吸気される場合、端面１０２の外側の流体は指向性をもって吸気される。具体的には、開口部１０５によって領域７０３の流体および領域７０４の流体が吸気される。吸気口１０３によって領域７０２および領域７０５の流体が吸気される。その結果、吸気口１０３によって吸気される流体の直進性が向上される。
【００９１】
なぜならば、後述するように、開口部１０５による流体の吸気によって、端面１０２の外側に円錐台の形状のような流体の流れが生じるからである。端面１０２の外側に円錐台形状のような流体の流れが生じることによって、領域７０３の流体および領域７０４の流体は、開口部１０５によって吸気される。円錐台形状の内側の領域７０２の流体、および、領域７０５の流体は、円錐台形状のような流体の流れとは独立して、吸気口１０３から中空部１０１へ流れる。吸気口１０３が開口部１０５と独立して形成されるからである。その結果、端面１０２の吸気口１０３に対向する領域７０２および領域７０５の流体は、端面１０２の外側から吸気口１０３を通って中空部１０１へ直進的に流れる。これによって、吸気口１０３によって吸気される流体の流れの直進性が向上される。図７Ｂにおいては、吸気口１０３が直進的に吸気できる流体の領域は、吸気口１０３の直径に対して６倍程度の距離に到達する。
【００９２】
図８は、図７Ｂが示すシミュレーション結果における、開口部１０５によって吸気される流体の流れの一例を示す。図８において、領域８００は、開口部１０５によって吸気される流体の流れを示す。領域８００が示すように、開口部１０５によって吸気される流体の流れは円錐台のような形状を示す。
【００９３】
開口部１０５による流体吸気によって生じる円錐台形状のような流体の流れは、ラッパ形状を模している。音響学において、ラッパ形状のホーンを用いることで、発信された音の到達する距離が延伸される。同様に、開口部１０５によって吸気される流体の流れが、ラッパ形状を模した円錐台のような形状８００を形成することで、円錐台形状８００の内側の流体の流れの直進性が向上される。その結果、吸気口１０３によって、端面１０２からより遠方の流体が直進的に吸気される。
【００９４】
上記における、吸気口１０３と開口部１０５との面積比は一例であり、これに限定されない。また、上記説明における、端面１０２と吸気口１０３との面積比は一例であり、これに限定されない。
【００９５】
図９は、開口部１０５によって吸気される流体の流れの別の一例を示す。図９において、開口部１０５は、例えば、４個の円形の孔を有する。図９において、端面１０２と吸気口１０３との面積比は約４．６対１であり、吸気口１０３と開口部１０５との面積比は約１．０５対１であり、吸気口１０３から被測定物７０１までの距離は吸気口１０３の直径の約６倍である。図９は、図８と同様に、開口部１０５によって吸気される流体の流れは円錐台のような形状を示す。
【００９６】
なお、上記において、開口部１０５が円形の孔として形成される説明は一例であり、これに限定されない。開口部１０５の他の例であっても、同様の効果を奏する。
【００９７】
図１０は、開口部１０５によって吸気される流体の流れの一例を示す。図１０において、開口部１０５は、例えば、２周のスリット形状の孔を含む。図１０において、端面１０２と吸気口１０３との面積比は約４．６対１であり、吸気口１０３と開口部１０５との面積比は約０．７７対１であり、吸気口１０３から被測定物７０１までの距離は吸気口１０３の直径の約６倍である。図１０は、図８と同様に、開口部１０５によって吸気される流体の流れは、円錐台のような形状を示す。
【００９８】
円錐台形状の内側の流体は、円錐台形状の流体の流れに沿って、吸気口１０３から吸気される。そのため、端面１０２の外側の流体の流れの円錐台形状が歪むことで、吸気口１０３によって吸気される流体の流れの直進性が損なわれる。流体の流れの円錐台形状の歪みは、開口部１０５の要素の形状の歪み、相当程度に不均一な間隔などの歪み等によって生じる。
【００９９】
図１１は、端面１０２において複数の孔が相当程度に不均一に形成された場合における、流体の流路の説明の用に供する図である。図１１Ａは、開口部１０５の複数の孔が、実質的に同一半径上に、相当程度に不均一に配置された例を示す。図１１Ａにおいて、破線Ｌ５は中空部１０３の軸上の点を中心点とする同一半径上の円周を示す。図１１Ａにおいて、端面１０２は、吸気口１０３、および円形形状の孔１１０１、１１０２、１１０３を有する。
【０１００】
図１１Ｂは、開口部１０５が図１１Ａに示す形状である場合の、流体の流れのシミュレーション結果である。図１１Ｂに示すように、開口部１０５の円周方向における配置、形状、または間隔等の歪みが生じることによって、流体の流れの円錐台形状が歪む。
【０１０１】
その結果、開口部１０５が形成されることによる円錐台形状の流体の流れが生じる効果が現れる一方、流路の円錐台形状の歪みが、吸気口１０３によって吸気される流路の直進性に影響する。そのため、円錐台形状のような流体の流れを生じさせる開口部１０５は、例えば、中空部１０１の軸上の点から実質的に同一半径上に形成されることが望ましい。なお、流路は、流体の流れを意味する。
【０１０２】
以上、吸気装置１０における吸気構造の作用及び効果について説明した。
【０１０３】
以上のように、吸気装置１０は、例えば、中空部１０１が形成された筒状の構造物であって、吸気口１０３を有する円形形状又は鋭角を有さない多角形形状の端面１０２が中空部１０１の第１の端部に形成され、中空部１０１の第１の端部と対向する第２の端部に排気口１０４が形成され、端面１０２において、吸気口１０３の開口面積は中空部１０１の軸方向垂直断面の断面積より狭く、端面１０２の形状に実質的に沿って吸気口１０３の外周に第１の開口部１０５が形成された筐体１００と、ファン部２００と、吸気口１０３から排気口１０４の方向に吸気するようにファン部２００を制御する制御部３００と、を備える。
【０１０４】
本発明の実施の形態によれば、吸気装置１０は、吸気口１０３の開口面積は中空部１０１の軸方向垂直断面の断面積より狭く、端面１０２の形状に実質的に沿って吸気口１０３の外周に第１の開口部１０５が形成された端面１０２を有する。これにより、開口部１０５によって吸気される流体が、端面１０２の外側において円錐台形状のような流体の流れを生じさせ、吸気口１０３によって吸気される流体の流れの直進性が向上される。
【０１０５】
さらに、例えば、吸気口１０３は、端面１０２の実質的に中央部に形成されてもよい。これにより、吸気口１０３によって吸気される流体が中空部１０１において乱流を発生させることが抑制され、吸気口１０３によって吸気される流体の流れの直進性が向上される。
【０１０６】
さらに、例えば、吸気口１０３は、鋭角を有さない形状であってもよい。これにより、吸気口１０３の形状を原因とする乱流の発生が抑制される。
【０１０７】
さらに、例えば、開口部１０５は、中空部１０１の軸から第１の半径上の円周に実質的に沿って形成されてもよい。これにより、開口部１０５によって吸気される流体が中空部１０１において乱流を発生させることを抑え、吸気口１０３によって吸気される流体の流れの直進性が向上される。
【０１０８】
さらに、例えば、開口部１０５は円形又は鋭角を有さない多角形形状の複数の孔であって、複数の孔のそれぞれの少なくとも開口の一部が当該円周上に形成されてもよい。これにより、開口部１０５を円形又は鋭角を有さない多角形形状の複数の孔によって形成することができ、開口部１０５によって吸気される流体が中空部１０１において乱流を発生させることを抑え、吸気口１０３によって吸気される流体の流れの直進性が向上される。
【０１０９】
さらに、例えば、当該複数の孔のそれぞれの中心点が当該円周上に実質的に均等に離隔されて形成されてもよい。これにより、開口部１０５の孔が対称に配置され、乱流の発生が抑制される。
【０１１０】
さらに、例えば、開口部１０５は複数のスリットであって、複数のスリットのそれぞれの少なくとも開口の一部が当該円周上に形成されてもよい。これにより、開口部１０５を複数のスリットによって形成することができ、開口部１０５によって吸気される流体が中空部１０１において乱流を発生させることを抑え、吸気口１０３によって吸気される流体の流れの直進性が向上される。
【０１１１】
さらに、例えば、複数のスリットは当該円周上に実質的に均等に離隔されて形成されてもよい。これにより、同一半径上に均等に開口部１０５の孔が形成され、吸気口１０３によって吸気される流体の流れの直進性が向上される。
【０１１２】
さらに、例えば、開口部１０５は一のＣ型形状のスリットであってもよい。これにより、開口部１０５は、同一半径上に均等に孔が形成され、吸気口１０３による流体吸気の直進性の向上に寄与する効果を有する。
【０１１３】
さらに、例えば、吸気装置１０は、中空部１０１が内部に形成された筒状の構造物であって、吸気口１０３を有する端面１０２が中空部１０１の第１の端部に形成され、排気口１０４が中空部１０１の第１の端部と対向する第２の端部に形成され、端面１０２において、吸気口１０３の開口面積は中空部１０１の軸方向垂直断面の断面積より狭く、吸気口１０３の周囲に吸気口１０３と独立して中空部１０１の軸から実質的に第１の同一半径上に第１の開口部１０５が形成された筐体１００と、第１の端部および第２の端部のうち第２の端部の側に設けられたファン部２００と、吸気口１０３から排気口１０４の方向に吸気するようにファン部２００を制御する制御部３００と、を備える。これにより、開口部１０５によって吸気される流体が、端面１０２の外側において円錐台形状のような流体の流れを生じさせ、吸気口１０３によって吸気される流体の流れの直進性が向上される。
【０１１４】
さらに、例えば、吸気口１０３の形状は中空部１０１の軸上に中心点を有する円形であってもよい。円形とは、歪みのない真円である必要はなく、角のない形状をいう。これにより、吸気口１０３によって吸気される流体が中空部１０１において乱流を発生させることを抑制でき、吸気口１０３によって吸気される流体の流れの直進性が向上される。
【０１１５】
さらに、例えば、開口部１０５は、端面１０２に形成された複数の孔であって、複数の孔のそれぞれの少なくとも開口の一部が第１の同一半径上に形成され、複数の孔のそれぞれは円形、楕円形、または多角形であってもよい。これにより、開口部１０５によって吸気される流体が中空部１０１において乱流を発生させることを抑え、吸気口１０３によって吸気される流体の流れの直進性が向上される。係る場合、例えば、複数の孔のそれぞれの中心点が第１の同一半径上に実質的に均等に離隔されて形成されてもよい。これにより、開口部１０５の孔が対称に配置され、乱流の発生が抑制される。
【０１１６】
さらに、例えば、開口部１０５は、第１の同一半径上に形成された複数のスリットであって、複数のスリットは第１の同一半径上に実質的に均等に離隔されて形成されてもよい。これにより、同一半径上に均等に開口部１０５の孔が形成され、吸気口１０３によって吸気される流体の流れの直進性が向上される。
【０１１７】
さらに、例えば、開口部１０５は、第１の同一半径上に形成された一のスリットであってもよい。これにより、開口部１０５は、同一半径上に均等に孔が形成され、吸気口１０３による流体吸気の直進性の向上に寄与する効果を有する。
【０１１８】
さらに、例えば、制御部３００は、中空部１０１の外部に設けられてもよい。これにより、中空部１０１の内部において余計な構造物が配置されず、流体の乱流の発生が抑制される。
【０１１９】
さらに、例えば、制御部３００は、中空部１０１の内部に設けられた回路基板に実装されたプロセッサであって、回路基板は紡錘形状の樹脂に包含されてもよい。これにより、制御部３００が中空部１０１の内部に形成された場合であっても、中空部１０１における乱流の発生が抑制される。
【０１２０】
上記において、吸気口１０３の外周の同一半径上に開口部１０５の孔が形成された例について説明したが、一例にすぎず、これに限定されない。図１２は、開口部１０５の一例を示す。以下、図１２を用いて、開口部１０５の別の一例について説明する。
【０１２１】
図１２に示すように、端面１０２において、さらに、第１の開口部１２０１の外周に第１の開口部１２０１と独立して、中空部の軸から実質的に第２の同一半径上に第２の開口部１２０２が形成されてもよい。開口部１０５は、第１の開口部１２０１および第２の開口部１２０２を含む。第１の開口部１２０１および第２の開口部１２０２は同じ形状である必要はない。
【０１２２】
第１の開口部１２０１および第２の開口部１２０２のうち、一方が複数の円形の孔であって、他方が一または複数のスリット形状の孔であってもよい。第１の開口部１２０１および第２の開口部１２０２のいずれもが、複数の円形の孔であってもよく、また、一または複数のスリット形状の孔であってもよい。開口部１０５は、開口部１２０２の外周にさらに開口を有してもよい。
【０１２３】
これにより、各周の円形形状の孔を小さく形成でき、また、スリット形状の幅を細く形成できる。開口部１０５の孔に陰圧がかかり、円錐台形状の流体の流速が早くなる。その結果、吸気口１０３によって吸気される流体の流れの直進性が向上される。
【０１２４】
なお、本発明は上記実施の形態に限定されるものではなく、種々の変形が可能である。以下、各変形例について説明する。
【０１２５】
（変形例１）
実施の形態では、端面１０２の厚みについて特に言及していないが、例えば、吸気口１０３を形成する第１の領域の厚みが、端面１０２における第１の領域以外の第２の領域の厚みよりも大きくてもよい。これにより、吸気口１０３から吸気される流体の流れの直進性が向上される。
【０１２６】
図１３は、本発明の変形例１を説明する図である。図１３Ａは、中空部１０１の軸方向における端面１０２の断面図の一例を示す。図１３Ｂは、中空部１０１の軸方向における断面１０２の断面図の別の一例を示す。
【０１２７】
図１３Ａが示す端面１０２において、吸気口１０３を形成する領域１３０１の厚みは、その他の領域１３０２の厚みよりも大きい。これにより、吸気口１０３の開口における流体の流れの直進性が向上される。なぜならば、流体は壁に沿って流れるからである。その結果、吸気口１０３によって吸気される流体の流れの直進性が向上される。
【０１２８】
さらに、例えば、吸気口１０３の形状は中空部１０１の軸上に中心点を有する円形であって、第１の領域の軸方向断面の形状が鼓型であってもよい。なお、円形とは、歪みのない真円である必要はなく、角のない形状をいう。
【０１２９】
図１３Ｂが示す端面１０２において、中空部１０１の軸方向における領域１３０１の断面は鼓型形状である。係る場合、鼓型の領域１３０３に陰圧がかかることで、吸気口１０３によって吸気される流体の流速が高まり、吸気口１０３内における流体の流れの直進性が向上される。流体は圧力が低下している領域に向かって流れるためである。その結果、吸気口１０３によって吸気される流体の流れの直進性が向上される。
【０１３０】
なお、図１３Ａおよび図１３Ｂにおいて、吸気口１０３を形成する領域１３０１が開口部１０５と接しているが、一例であり、これに限定されない。すなわち、領域１３０１は開口部１０５の複数の孔のそれぞれと接していなくてもよい。
【０１３１】
（変形例２）
実施の形態では、排気口１０４は吸気口１０３と対向して配置されたが、排気口１０４は筐体１００の側壁１０６に形成されてもよい。図１４は、実施の形態の変形例２の説明の用に供する図である。図１４（ａ）は、吸気装置１０の変形例の断面図を示す。図１４（ｂ）は、吸気装置１０の変形例２の正面図を示す。以下、図１４を用いて、変形例２に係る吸気装置１０について説明する。
【０１３２】
図１４において、吸気装置１００は、中空部１０１が内部に形成された筒状の構造物であって、吸気口１０３を有する端面１０２が中空部１０１の第１の端部に形成され、中空部１０１の第１の端部と対向する第２の端部に底蓋１４００が形成され、中空部１０１の軸方向側面に排気口１４０１が形成され、端面１０２において、吸気口１０３の開口面積は中空部１０１の軸方向垂直断面の断面積より狭く、吸気口１０３の周囲に吸気口１０３と独立して中空部１０１の軸から実質的に第１の同一半径上に第１の開口部１０５が形成された筐体１００と、排気口１４０１に設けられたファン部１４０２と、吸気口１０３から排気口１４０１の方向に吸気するようにファン部１４０２を制御する制御部３００と、を備える。
【０１３３】
底蓋１４００は、例えば、中空部１０１の第２の端部Ｅ２に形成される。底蓋１４００は、所定の厚さを有する構造物である。図１４において、底蓋１４００は側壁１０６の外側に形成されているが、一例であって、これに限定されない。底蓋１４００は、例えば、底蓋１４００の表面が端部Ｅ２に一致するように側壁１０６の内側に形成されてもよい。
【０１３４】
図１４において、説明の便宜のため、底蓋１４００は側壁１０６と別の構成として説明されているが、一例であって、これに限定されない。底蓋１４００は、側壁１０６と一体形成されてもよい。
【０１３５】
図１４において、排気口１４０１は、中空部１０１の軸方向側面に形成される。すなわち、排気口１４０１は側壁１０６に形成される。排気口１４０１は、側壁１０６に一または複数形成される。
【０１３６】
排気口１４０１が側壁１０６に一つ形成される場合、排気口１４０１は、側壁１０６の周囲を囲うように形成されるのが望ましい。なぜならば、中空部１０１において、吸気から排気へ向かう流体の流れの偏りが、中空部１０１に乱流を発生させてしまうからである。中空部１０１の乱流は、開口部１０５の要素のそれぞれによって吸気される流体の均一性を損なう。その結果、端面１０２の外側における円錐台形状の流路が歪む。円錐台形状の歪みは、吸気口１０３から吸気される流体の流れの直進性を損なう。
【０１３７】
また、排気口１４０１が側壁１０６に複数形成される場合、排気口１４０１は、側壁１０６の周囲において実質的に均等に離隔されて形成されることが望ましい。中空部１０１における乱流の発生の抑制のためである。
【０１３８】
ファン部１４０２は、排気口１４０１に設けられる。排気口１４０１が側壁１０６に一つ形成される場合、ファン部１４０２は排気口１４０１を囲うように設けられる。排気口１４０１が側壁１０６に複数形成される場合、ファン部１４０２は排気口１４０１と同じ数だけ設けられる。
【０１３９】
本変形例によれば、排気口１４０１が側壁１０６に形成されることで、吸気装置１０の設計の自由度が広がる。
【０１４０】
（変形例３）
実施の形態では、吸気装置１０の吸気機能について説明したが、さらにセンサが備えられることで検知機能が追加されてもよい。図１５は、本変形例における吸気装置１５００を説明する図である。以下、図１５を用いて、本変形例を説明する。
【０１４１】
図１５において、吸気装置１５００は、吸気装置１０と、さらに、ガスセンサ１５０１、報知部１５０２を備える。
【０１４２】
ガスセンサ１５０１は、例えば、アルコールなどの所定のガスの濃度を検知した結果を検知信号として制御部３００に出力する。ガスセンサ１５０１は、半導体センサを含む。半導体センサは、例えば、検知したガスの特性を利用してガス濃度を電気信号に変換し、電気信号を検知信号として出力するセンサであってもよい。ガスセンサ１５０１は、単一のガスセンサであってもよく、また、複合センサであってもよい。ガスセンサ１５０１は、例えば、アルコールセンサ、または、酸素センサを含む。アルコールセンサおよび酸素センサの検知技術は公知技術であるため、詳細な説明は省略する。
【０１４３】
図１５において、ガスセンサ１５０１は、例えば、中空部１０１の第１の端部Ｅ１に形成された図示しない支持部材によって支持される。端部Ｅ１に形成された支持部材は、例えば、端面１０２に形成されてもよく、また、中空部１０１に形成されてもよい。ガスセンサ１５０１を支持する支持部材の設置個所は、一例であって、これに限定されない。
【０１４４】
図１５において、ガスセンサ１５０１は吸気口１０３の開口領域１５０３に含まれる位置に設置されるが、一例にであって、これに限定されない。ガスセンサ１５０１は、例えば、吸気口１０３に近接する中空部１０１に設置されてもよい。ガスセンサ１５０１は、吸気口１０３によって吸気される流体が直進的に流れる流路上に設置されることが望ましい。
【０１４５】
これにより、後述する被測定物７０１に含有されるガス成分の濃度を検知する精度が高くなる。また、これにより、機能が消耗したガスセンサ１５０１の交換が容易になる。また、ガスセンサ１５０１がファン部２００よりも吸気口１０３に近い領域に設置されることにより、ファン部２００に付着された異物がガスセンサ１５０１によって誤検知されることを回避できる。
【０１４６】
端部Ｅ１に形成された支持部材によってガスセンサ１５０１が支持されることにより、吸気口１０３によって吸気される端面１０２の外側の流体が、ガスセンサ１５０１に接触して流れる。アルコール成分等のガス成分を含有する被測定物７０１が吸気口１０３と対向して設置される場合、被測定物７０１に含有されるガス成分は、吸気口１０３によって直進的に吸気される。被測定物７０１に含有されるガス成分は、分散されることなく、ガスセンサ１５０１に集中的に接触する。そのため、ガスセンサ１５０１による、被測定物７０１に含有されるガス成分の検知が容易になる。なお、被測定物７０１は、例えば、食品、飲料水、気体などであるが、一例であって、これに限定されない。
【０１４７】
本変形例において、制御部３００は、ガスセンサ１５０１の検知信号に基づいて、報知部１５０２を用いて所定の方法で報知させる。具体的には、制御部３００は、ガスセンサ１５０１から検知信号を受け取る。検知信号は、例えば、ガスセンサ１５０１が検知したガスの濃度が電気信号に変換された信号であってもよい。制御部３００は、受け取られた検知信号が所定の基準を満たすか否かを判断する。制御部３００は、例えば、所定の基準が満たされているとき、報知部１５０２に対して制御信号を出力し、所定の方法で吸気装置１５００のユーザに対して報知させる。
【０１４８】
所定の基準は、例えば、ガス濃度が所定量を超えることを示す検知信号の数値であってもよい。制御部３００は、被測定物７０１に含有されるガス成分の濃度が所定量を超えることを示す検知信号を受け取った場合、それに対応する報知を、報知部１５０２を用いてユーザに報知する。なお、これは一例であって、これに限定されない。
【０１４９】
所定の基準は、複数の基準を含んでもよい。所定の基準は、例えば、第１の基準、および、第１の基準と異なる第２の基準を含んでもよい。第１の基準は、例えば、被測定物７０１に含有されるガス成分の濃度が第１の閾値を超えることを示す検知信号の数値であってもよい。第２の基準は、例えば、被測定物７０１に含有されるガス成分の濃度が第１の閾値より小さい第２の閾値を超えることを示す検知信号の数値であってもよい。
【０１５０】
制御部３００は、被測定物７０１に含有されるガス成分の濃度が第１の閾値を超えることを示す検知信号を受け取った場合、それに対応する第１の報知を、報知部１５０２を用いてユーザに報知させる。また、制御部３００は、被測定物７０１に含有されるガス成分の濃度が第２の閾値を超え、第１の閾値を越えないことを示す検知信号を受け取った場合、それに対応する、第１の報知とは異なる第２の報知を、報知部１５０２を用いてユーザに報知させる。
【０１５１】
報知部１５０２は、例えば、音、光、振動などを報知する機能を有する。また、報知部１５０２は、例えば、ディスプレイを有し、ディスプレイに所定の情報を表示してもよい。報知部１５０２の報知方法は、音、光、振動、またはディスプレイ表示に限定されず、他の報知方法によって報知する機能を有してもよい。
【０１５２】
上述した第１の報知および第２の報知は、音、光、振動、およびディスプレイ表示のうち少なくとも１つが異なる。例えば、第１の報知は赤色など第１の色の発光であって、第２の報知は青色など第２の色の発光であってもよい。例えば、第１の報知は第１の音色の発音であって、第２の報知は第２の音色の発音であってもよい。例えば、第１の報知は第１の振動であって、第２の報知は第２の振動であってもよい。
【０１５３】
これにより、ユーザは、被測定物７０１に含有されるガス成分の濃度のレベルを容易に把握できる。なお、図１５における報知部１５０２の設置場所は一例であって、これに限定されない。
【０１５４】
以上の通り、本変形例において、吸気装置１５００は、第１の端部Ｅ１に形成された支持部によって支持され、所定のガスを検知した結果を検知信号として制御部３００に出力するガスセンサ１５０１と、報知部１５０２と、をさらに備え、制御部３００は、検知信号に基づいて、報知部１５０２を用いて所定の方法で報知させる。これにより、端面１０２と対向する被測定物７０１に含有され、吸気口１０３によって吸気されたガスを、ガスセンサ１５０１によって検知し、検知結果が吸気装置１５００のユーザに報知される。
【０１５５】
本発明において、端面１０２に開口部１０５が形成されていることにより吸気口１０３によって吸気される流体の流れの直進性が強いため、端面１０２と対向する被測定物７０１とガスセンサ１５０１との距離が１０数センチメートル程度離れていても、ガスセンサ１５０２によって、被測定物７０１に含有される所定のガスが高精度に検知される。すなわち、ガスセンサ１５０２の有効射程距離を従来技術より延伸させる効果を有する。
【０１５６】
なお、ガスセンサ１５０１を有する吸気装置１５００は、さらに照射部を備えてもよい。図示しない照射部は、光源を有し、光を照射する。照射部は、ガスセンサ１５０１の吸気口１０３が被測定物７０１に対向するとき、被測定物７０１に光を照射できる所定の位置に設けられる。係る場合、照射部が照射する光は、ガスセンサ１５０１の被測定物７０１に対する有効射程距離を表現する。
【０１５７】
具体的には、被測定物７０１に照射部の光が照射されたとき、被測定物７０１に光の像が投影される。例えば、投影された光の像の大きさが所定値以下であるとき、ガスセンサ１５０１が被測定物７０１に対する有効射程距離にあることが予めユーザに周知される。周知の方法は限定されない。これにより、吸気装置１５００のユーザは、ガスセンサ１５０１の被測定物７０１に対する有効射程距離を直観的に理解できる。有効射程距離とは、吸気装置１５００が被測定物７０１に含有されるガス成分を高精度に検知できる範囲を意味する。
【０１５８】
なお、有効射程距離が光の像の大きさによって示されることは一例であって、これに限定されない。例えば、有効射程距離は、投影された光の像の濃淡によって示されてもよい。被測定物７０１は、検知対象物とも呼称される。
【０１５９】
すなわち、ガスセンサ１５０１の検知対象物７０１に光が照射されたとき、検知対象物７０１に現れる光の像の大きさ、または、光の像の濃淡によって、ガスセンサ１５０１の検知対象物７０１に対する有効射程距離が表現される。照射部は、制御部３００からの制御信号によって光を照射してもよい。また、照射部は、別途設けられるスイッチ機能によって光を照射してもよい。
【０１６０】
なお、光源を有し、光を照射する照射部は、吸気装置１５００以外の装置に備えられてもよい。
【０１６１】
図１８は、本開示における検知装置１８００の一例を示す図である。検知装置１８００は、例えば、ガス、熱などを含む若しくは含有する所定の検知対象物を検知するセンサ１８０１と、光源を有し、光を照射する照射部１８０２と、を備え、センサ１８０１の検知対象物に光が照射されたときに検知対象物に現れる光の像によってセンサ１８０２の検知対象物に対する有効射程距離が表現される。
【０１６２】
検知対象物は、例えば、ガスを含有する食品、飲料等であってもよい。検知対象物は、例えば、熱量を含む固体、液体であってもよい。なお、ガス、熱量などを検知するセンサ１８０１の検知機能は公知技術であるため、詳細な説明を省略する。また、図１８におけるセンサ１８０１の設置位置は一例であって、これに限定されない。検知装置１８００が対向する検知対象物に含有されるガス、熱等を検知できる範囲に、センサ１８０１は設置されればよく、その設置位置は任意に設計される。
【０１６３】
検知装置１８００における照射部１８０２は、光源を有し、光を照射する。照射部１８０２は、検知装置１８００が検知対象物に対向するとき、検知装置１８００の筐体１８０３において、検知対象物に光を照射できる所定の位置に設けられればよく、照射部１８０２の位置は限定されない。係る場合、照射部が照射する光は、検知対象物に対する有効射程距離を表現する。
【０１６４】
具体的には、検知対象物に照射部１８０２の光が照射されたとき、検知対象物に光の像が投影される。例えば、投影された光の像の大きさが所定値以下であるとき、センサ１８０１が検知対象物に対する有効射程距離にあることが予めユーザに周知される。例えば、投影された光の像の大きさが筐体１８０３又は検知装置１８００の包装物に示される所定形状のシールの大きさ又はそれ以下の場合に、センサ１８０１が検知対象物に対する有効射程距離にあることが予めユーザに周知される。光の像の形状は、例えば、円形、多角形等でもよく、これに限定されない。
【０１６５】
周知の方法は、例えば、検知装置１８００の筐体１８０３又は包装物に記載されていてもよく、これに限定されない。
【０１６６】
これにより、検知装置１８００のユーザは、センサ１８０１の検知対象物に対する有効射程距離を直観的に理解できる。有効射程距離とは、検知装置１８００が検知対象物に含まれるガス成分、熱量などを高精度に検知できる範囲を意味する。
【０１６７】
なお、有効射程距離が光の像の大きさによって示されることは一例であって、これに限定されない。例えば、有効射程距離は、投影された光の像の濃淡によって示されてもよい。検知対象物は被測定物とも呼称される。
【０１６８】
すなわち、センサ１８０１の検知対象物に光が照射されたとき、検知対象物に現れる光の像の大きさ、または、光の像の濃淡によって、センサ１８０１の検知対象物に対する有効射程距離が表現される。
【０１６９】
検知装置１８００は、さらに、照射部の光の照射のオンオフ、すなわち照射部の光の照射を制御する制御部を備えてもよい。制御部は図１８において図示されない。
【０１７０】
なお、照射部１８０２の照射機能は当該制御部によって制御されることは一例であって、これに限定されない。例えば、照射部１８０２は、別途設けられるスイッチ機能によって光の照射が制御されてもよい。また、ガス、熱などの検知対象物は一例であって、これに限定されない。センサ１８０１は測距センサであってもよく、検知対象物は、例えば、家電、車両などの有体物であってもよい。なお、測距センサは公知技術であるため、詳細な説明は省略される。
【０１７１】
以上のように、検知装置１８００は、所定の検知対象物を検知するセンサ１８０１と、光源を有し、光を照射する照射部１８０２と、を備え、センサ１８０１の検知対象物に光が照射されたときに検知対象物に現れる光の像によってセンサ１８０１の検知対象物に対する有効射程距離が表現される。これにより、検知装置１８００のユーザは、センサの検知対象物に対する有効射程距離を直観的に理解できる。
【０１７２】
ところで、特許文献１の技術（以下、従来技術）は、検知の有効射程距離をユーザが直観的に理解することが困難であり、装置の利用条件を満たさない問題があった。それに対して、検知装置１８００は、その有効射程距離をユーザが直観的に理解することができ、検知効率の向上に寄与する検知装置が提供される。
【０１７３】
ガスセンサ１５０１は、キャリブレーション結果を基準に検知信号を出力し、キャリブレーション結果は、ファン部２００が排気口１０４から吸気口１０３の方向に排気するように制御部３００に制御されたときの検知結果であってもよい。図１６は、本変形例における吸気装置１５００の動作の流れの一例を示すフロー図を示す。本フローは、例えば、吸気装置１５００の電源がオンの状態において一度実施されてもよいし、または、繰り返し実施されてもよい。
【０１７４】
まず、制御部３００は、排気口１０４から吸気口１０３の方向へ排気するように、ファン部２００を逆回転制御する（ステップＳ１０１）。
【０１７５】
次に、制御部３００は、ファン部２００を逆回転するように制御してから所定時間経過後、ガスセンサ１５０１にガス濃度を検知させ、検知結果を制御部３００へ出力させる（ステップＳ１０２）。所定時間は、例えば、数秒から数十秒程度である。これにより、ガスセンサ１５０１に付着した異物が除去される。
【０１７６】
次に、制御部３００は、受け取った検知結果に基づいて、ガスセンサ１５０１によって検知されたガス濃度が所定値以下であるか否かを判断する（ステップＳ１０３）。
【０１７７】
ガス濃度が所定値以下である場合（ステップＳ１０３；ＹＥＳ）、制御部３００は、キャリブレーションが完了したと判定して、吸気口１０３から排気口１０４の方向へ吸気するようにファン部２００を回転制御する（ステップＳ１０４）。そして、制御部３００は、ガスセンサ１５０１を用いてガス濃度を検知し（ステップＳ１０５）、ガスセンサ１５０１に検知結果を出力させる（ステップＳ１０６）。
【０１７８】
一方、ガス濃度が所定値以上である場合（ステップＳ１０３：ＮＯ）、制御部３００は、キャリブレーションが完了していないと判定して、ファン部２００が逆回転するように制御する（ステップＳ１０１）。
【０１７９】
以上、吸気装置１５００の制御処理について説明した。
【０１８０】
（変形例４）
変形例３において、ガスセンサ１５０１は半導体センサであるとして説明したが、一例であって、これに限定されない。すなわち、ガスセンサ１５０１は、例えば、アルコール検知試薬が浸透された紙・綿などの物体であってもよい。アルコール検知試薬が浸透された紙・綿などの物体は、例えば、アルコール検知管であってもよい。係る場合、ガスセンサ１５０１の検知信号は、例えば、アルコール検知試薬が反応する色信号である。
【０１８１】
本変形例においては、アルコール検知試薬が反応する色信号は、例えば、ユーザの目視によって認識されてもよい。そのため、本変形例においては、吸気装置１５００が報知部１５０２を備える必要はない。すなわち、本変形例に係る吸気装置１５００は、吸気装置１０において、第１の端部において支持された、所定のガスを検知するガスセンサ１５０１を、さらに備える。これにより、より簡易な吸気装置の構成に基づいて、ユーザが被測定物７０１に含有されるガス成分の濃度を認識できる。
【０１８２】
なお、変形例３において説明された機能は、本変形例においても適用される。本変形例に係る吸気装置１５００は、光源を有し、光を照射する照射部を、さらに備え、ガスセンサ１５０１の検知対象物７０１に光が照射されたときに検知対象物７０１に現れる光の像によってガスセンサ１５０１の検知対象物７０１に対する有効射程距離が表現されてもよい。
【０１８３】
以上、実施の形態の変形例について説明した。各変形例は、任意に組み合わせてもよい。
【０１８４】
なお、上記の説明において、吸気装置１０は対象物を気体、液体などの流体を対象として説明したが、対象物は固体であってもよい。吸気装置１０および吸気層１５００はガス検知を用途とする装置だけでなく、例えば、掃除機などの吸引装置にも応用できる。その他、吸気または吸引に関わる技術全般に適用可能である。
【０１８５】
（コンピュータのハードウェア構成の一例）
実施の形態および各変形例における制御部３００の機能は、プログラムにより実現されてもよい。その場合におけるコンピュータのハードウェア構成の一例を図１７に示す。
【０１８６】
図１７に示すように、コンピュータ９０００は、例えば、ＣＰＵ（Central Processing Unit）９００１、ＲＡＭ（Random Access Memory）９００２、ＲＯＭ（Read Only Memory）９００３、記憶装置９００４、入出力インターフェース（Ｉ／Ｆ）９００５、読取インターフェース（Ｉ／Ｆ）９００６、通信インターフェース（Ｉ／Ｆ）９００７を有する。上述した各部はバス９００８を介して、直接的に、または、間接的に接続される。
【０１８７】
記憶装置９００４は、例えば、ＨＤＤ（Hard Disk Drive）、ＳＳＤ（Solid State Drive）等である。コンピュータ９０００は、入出力インターフェース９００５を介して、入出力（Ｉ／Ｏ）装置９００９と接続される。入出力装置９００９は、磁気ディスク装置等の入力機能および出力機能を有する装置の他、入力機能が主機能である入力装置、出力機能が主機能である出力装置を含む。入力装置は、例えば、入力キー、マウス、タッチパネル、スキャナである。出力装置は、例えば、ディスプレイ、スピーカ、プリンタである。
【０１８８】
読取インターフェース９００６は、記録媒体９０１０に記録されたプログラムまたはデータを読み取る。記録媒体９０１０は、例えば、半導体メモリ、光学記録媒体、磁気記録媒体、光磁気記録媒体等である。
【０１８９】
通信インターフェース９００７は、ネットワーク９０１１を介して、他の機器からデータを受信し、他の機器へデータを送信する。ネットワーク９０１１は、有線ネットワークであってもよく、無線ネットワークであってもよい。他の機器は、クライアント装置であってもよく、サーバ装置であってもよい。
【０１９０】
例えば、ＲＯＭ９００３に記憶されたプログラム、記憶装置９００４に記憶されたプログラム、記録媒体９０１０に記録されたプログラム、または、通信インターフェースが他の機器から受信したプログラムは、ＲＡＭ９００２にロードされる。上記の実施形態および各変形例において、例えば、ＣＰＵ９００１がＲＡＭ９００２にロードされたプログラムを実行することにより、上記の実施形態等における各部の機能が実現される。
【０１９１】
なお、コンピュータ９０００における各部の機能は、クラウドコンピューティングによって実現されてもよい。
【０１９２】
なお、センサ制御システム１におけるコンピュータに実行させるセンサ制御プログラムまたは説明された機能は、非一時的な有形のコンピュータ可読記録媒体（A non-transitory, tangible computer-readable storage medium）に記録されてもよい。非一時的な有形のコンピュータ可読記録媒体は、コンピュータ、ＣＰＵ、ＭＰＵ（Micro Processing Unit）等によってアクセスされることが可能な任意の記録媒体である。任意の記録媒体は、例えば、ＲＯＭ、ＲＡＭ、フラッシュメモリ、磁気記憶装置、光ディスク等であって、例示したものに限定されない。
【産業上の利用可能性】
【０１９３】
本発明に係る吸気装置は、気体等を吸気する技術、および、固体等を吸引する技術全般に有効である。
【符号の説明】
【０１９４】
１０  吸気装置
１００  筐体
１０１  中空部
１０２  端面
１０３  吸気口
１０４  排気口
１０５  開口部
１０６  側壁
２００  ファン部
３００  制御部
７００  開口部を有しない吸気装置
７０１  被測定物
７０２〜７０５  空間領域
８００  円錐台形状領域
１１０１〜１１０３  不均一に形成された孔
１２０１  第１の開口部
１２０２  第２の開口部
１３０１  吸気口を形成する第１の領域
１３０２  第２の領域
１３０３  皷型形状の領域
１４００  底蓋
１４０１  排気口
１４０２  ファン部
１５００  吸気装置
１５０１  センサ
１５０２  報知部
１５０３  開口領域
１８００  検知装置
１８０１  センサ
１８０２  照射部
１８０３  筐体
９０００  コンピュータ
９００１  ＣＰＵ
９００２  ＲＡＭ
９００３  ＲＯＭ
９００４  記憶装置
９００５  入出力インターフェース
９００６  読取インターフェース
９００７  通信インターフェース
９００８  バス
９００９  入出力装置
９０１０  記録媒体
９０１１  ネットワーク
【図１】
2019132824.tif 000003
【図２】
2019132824.tif 000004
【図３Ａ】
2019132824.tif 000005
【図３Ｂ】
2019132824.tif 000006
【図３Ｃ】
2019132824.tif 000007
【図４Ａ】
2019132824.tif 000008
【図４Ｂ】
2019132824.tif 000009
【図５】
2019132824.tif 000010
【図６Ａ】
2019132824.tif 000011
【図６Ｂ】
2019132824.tif 000012
【図７Ａ】
2019132824.tif 000013
【図７Ｂ】
2019132824.tif 000014
【図８】
2019132824.tif 000015
【図９】
2019132824.tif 000016
【図１０】
2019132824.tif 000017
【図１１Ａ】
2019132824.tif 000018
【図１１Ｂ】
2019132824.tif 000019
【図１２】
2019132824.tif 000020
【図１３Ａ】
2019132824.tif 000021
【図１３Ｂ】
2019132824.tif 000022
【図１４】
2019132824.tif 000023
【図１５】
2019132824.tif 000024
【図１６】
2019132824.tif 000025
【図１７】
2019132824.tif 000026
【図１８】
2019132824.tif 000027